(57)【要約】【課題】ブラインドタッチ操作を正確に行うことができるタッチパネル式操作盤を提供する。【解決手段】タッチパネル２１の表面に２列となって配置された複数のタッチスイッチ２２ａ〜２２ｋと、タッチスイッチ２２ａ〜２２ｆの列及びタッチスイッチ２２ｇ〜２２ｋの列に沿ってタッチパネル２１上に各々突設されたバー２３ａ及びバー２３ｂと、タッチスイッチ２２ａ〜２２ｆの位置及びタッチスイッチ２２ｇ〜２２ｋの位置に対応するバー２３ａ及びバー２３ｂ上の位置に各々設けられ、触覚により認識される触覚部２４ａ〜２４ｋとを有するタッチパネル式操作盤。【選択図】図２
2018092496.tif 000002
【特許請求の範囲】
【請求項１】
タッチパネルの表面に１つ以上の列となって配置された複数のタッチスイッチと、
前記列に沿って前記タッチパネル上に各々突設されたバーと、
前記タッチスイッチの位置に対応する前記バー上の位置に各々設けられ、触覚により認識される触覚部とを有する
ことを特徴とするタッチパネル式操作盤。
【請求項２】
請求項１に記載のタッチパネル式操作盤において、
前記触覚部は、凸形状又は凹形状である
ことを特徴とするタッチパネル式操作盤。
【請求項３】
請求項１又は請求項２に記載のタッチパネル式操作盤において、
前記触覚部は、対応する前記タッチスイッチの機能を表す形状である
ことを特徴とするタッチパネル式操作盤。
【請求項４】
請求項１から請求項３のいずれか１つに記載のタッチパネル式操作盤において、
少なくとも１つの前記触覚部は、当該触覚部の大きさが他の前記触覚部とは異なる
ことを特徴とするタッチパネル式操作盤。
【請求項５】
請求項１から請求項４のいずれか１つに記載のタッチパネル式操作盤において、
少なくとも１つの前記触覚部は、当該触覚部の高さ又は深さが他の前記触覚部とは異なる
ことを特徴とするタッチパネル式操作盤。
【請求項６】
請求項１から請求項５のいずれか１つに記載のタッチパネル式操作盤において、
前記バーを複数有し、少なくとも１つの前記バーは、当該バーの幅及び高さの少なくとも一つが他の前記バーとは異なる
ことを特徴とするタッチパネル式操作盤。
【請求項７】
請求項１から請求項６のいずれか１つに記載のタッチパネル式操作盤において、
前記タッチパネルが静電容量方式である場合、前記バーは、静電容量に変化を与えない樹脂からなる
ことを特徴とするタッチパネル式操作盤。
【発明の詳細な説明】
【技術分野】
【０００１】
本発明は、タッチパネルを用いて操作を行うタッチパネル式操作盤に関する。
【背景技術】
【０００２】
近年、車両の空調機器を操作するヒータコントロール（以降、ヒーコン）として、タッチパネルを採用したタッチパネルヒーコンが増えてきている。
【先行技術文献】
【特許文献】
【０００３】
【特許文献１】特開２０１５−１４３９８５号公報
【発明の概要】
【発明が解決しようとする課題】
【０００４】
車両のヒーコンとしては、ハードウェアスイッチが用いられてきた。ハードウェアスイッチであれば、操作対象のスイッチの位置を予め把握していれば、他のスイッチをなぞりながら、操作対象のスイッチの位置まで指先を移動して、ブラインドタッチで操作対象のスイッチの操作を行うことができる。例えば、風量小のスイッチの位置が右端のスイッチから４番目と把握していれば、基準となる右端のスイッチに指を軽く置き、他のスイッチを順になぞりながら、風量小のスイッチの位置まで指先を移動して、ブラインドタッチで風量小のスイッチの操作を行うことができる。
【０００５】
一方、上述したタッチパネルヒーコンは、ブラインドタッチ操作ができないという操作性の弱点がある。例えば、運転席から風量小を操作しようとするとき、指を正確に風量小の位置に合わせないと操作できない。この操作は、例えば、ドライバが前方の道路を直視している状態では非常に困難である。もし、誤って、風量小以外の位置（例えば、風量大の位置）に触れてしまうと、所望する動作とは異なる動作が実施されることになる。
【０００６】
なお、上記特許文献１には、タッチセンサの位置を触覚で認知可能とする凸部、凹部を有するカバーパネルを有する静電容量型タッチパネルが示されているが、特許文献１の静電容量型タッチパネルでは、その段落０００１、００１５などに記載があるように、短時間であっても視認が必要であり、触覚のみで個別のタッチセンサの識別は可能ではなく、ブラインドタッチ操作を行うことはできない。
【０００７】
本発明は上記課題に鑑みなされたもので、ブラインドタッチ操作を正確に行うことができるタッチパネル式操作盤を提供することを目的とする。
【課題を解決するための手段】
【０００８】
上記課題を解決する第１の発明に係るタッチパネル式操作盤は、
タッチパネルの表面に１つ以上の列となって配置された複数のタッチスイッチと、
前記列に沿って前記タッチパネル上に各々突設されたバーと、
前記タッチスイッチの位置に対応する前記バー上の位置に各々設けられ、触覚により認識される触覚部とを有する
ことを特徴とする。
【０００９】
上記課題を解決する第２の発明に係るタッチパネル式操作盤は、
上記第１の発明に記載のタッチパネル式操作盤において、
前記触覚部は、凸形状又は凹形状である
ことを特徴とする。
【００１０】
上記課題を解決する第３の発明に係るタッチパネル式操作盤は、
上記第１又は第２の発明に記載のタッチパネル式操作盤において、
前記触覚部は、対応する前記タッチスイッチの機能を表す形状である
ことを特徴とする。
【００１１】
上記課題を解決する第４の発明に係るタッチパネル式操作盤は、
上記第１〜第３のいずれか１つの発明に記載のタッチパネル式操作盤において、
少なくとも１つの前記触覚部は、当該触覚部の大きさが他の前記触覚部とは異なる
ことを特徴とする。
【００１２】
上記課題を解決する第５の発明に係るタッチパネル式操作盤は、
上記第１〜第４のいずれか１つの発明に記載のタッチパネル式操作盤において、
少なくとも１つの前記触覚部は、当該触覚部の高さ又は深さが他の前記触覚部とは異なる
ことを特徴とする。
【００１３】
上記課題を解決する第６の発明に係るタッチパネル式操作盤は、
上記第１〜第５のいずれか１つの発明に記載のタッチパネル式操作盤において、
前記バーを複数有し、少なくとも１つの前記バーは、当該バーの幅及び高さの少なくとも一つが他の前記バーとは異なる
ことを特徴とする。
【００１４】
上記課題を解決する第７の発明に係るタッチパネル式操作盤は、
上記第１〜第６のいずれか１つの発明に記載のタッチパネル式操作盤において、
前記タッチパネルが静電容量方式である場合、前記バーは、静電容量に変化を与えない樹脂からなる
ことを特徴とする。
【発明の効果】
【００１５】
本発明によれば、タッチパネル式操作盤において、ブラインドタッチ操作を正確に行うことができる。
【図面の簡単な説明】
【００１６】
【図１】本発明に係るタッチパネル式操作盤を有する車両の運転席周りを示す図である。
【図２】本発明に係るタッチパネル式操作盤の実施形態の一例（実施例１）として、横型のタッチパネル式操作盤を示す図である。
【図３】本発明に係るタッチパネル式操作盤の実施形態の他の一例（実施例２）として、縦型のタッチパネル式操作盤を示す図である。
【発明を実施するための形態】
【００１７】
以下、本発明に係るタッチパネル式操作盤の実施形態について、図１〜図３を参照して説明を行う。まず、本発明に係るタッチパネル式操作盤を有する車両について、図１を参照して説明を行うが、本発明に係るタッチパネル式操作盤は、車両以外の装置の操作盤としても適用可能である。
【００１８】
図１は、本発明に係るタッチパネル式操作盤を有する車両１０の室内において、運転席周りの構成を示しており、符号１１はダッシュボード、符号１２はステアリングハンドル、符号１３はインストルメントパネル、符号１４はセンターコンソール、符号１５はカーナビゲーションシステム、符号１６はフロアコンソール、符号１７は駐車ブレーキレバー、符号１８はセレクタレバーである。
【００１９】
そして、符号２０がタッチパネル式操作盤であり、後述の実施例１で説明する横型のタッチパネル式操作盤である。このタッチパネル式操作盤２０は、センターコンソール１４に設けられており、その上部に表示パネル２５が設けられている。この表示パネル２５は、タッチパネル式操作盤２０を用いた操作に伴う表示を行っている。
【００２０】
また、符号３０もタッチパネル式操作盤であり、後述の実施例２で説明する縦型のタッチパネル式操作盤である。このタッチパネル式操作盤３０は、フロアコンソール１６に設けられている。
【００２１】
［実施例１］
図２は、本実施例の横型のタッチパネル式操作盤を示す図である。図２に示すタッチパネル式操作盤２０は、図１で説明したように、センターコンソール１４に設けられている。このタッチパネル式操作盤２０は、所謂、タッチパネルヒーコンであり、車両１０の空調機器を操作するためのものである。タッチパネル式操作盤２０を用いた操作に伴う空調機器の制御状態（例えば、温度、風量など）が、上述した表示パネル２５で表示される。
【００２２】
タッチパネル式操作盤２０は、タッチパネル２１を有し、その表面に横２列となって配置された複数のタッチスイッチ２２ａ〜２２ｋを有している。タッチスイッチ２２ａ〜２２ｆは、タッチパネル２１の上方において、横１列になって配置されており、タッチスイッチ２２ｇ〜２２ｋは、タッチパネル２１の下方において、横１列になって配置されている。ここでのタッチパネル２１（タッチスイッチ２２ａ〜２２ｋ）は、静電容量方式のものでも良いし、それ以外のもの、例えば、抵抗膜方式のものでも良い。また、ここでは、タッチスイッチ２２ａ〜２２ｋを２列にして配置しているが、スイッチの数や取り付け場所の広さなどに応じて、１列でも良いし、３列以上でも良い。なお、タッチスイッチ２２ａ〜２２ｋは、物理的構造（例えば、線や枠など）ではなく、タッチパネル２１の表面の座標によって互いの範囲が区画されている。従って、タッチパネル２１に触れたときの座標が区画された範囲のどこにあるかによって、タッチスイッチ２２ａ〜２２ｋのいずれに触れたかを判定する。
【００２３】
ここで、タッチスイッチ２２ａはエアコンディショナ（Ａ／Ｃ）のスイッチであり、タッチスイッチ２２ｂは風量小のスイッチであり、タッチスイッチ２２ｃは風量大のスイッチであり、タッチスイッチ２２ｄは吹き出し口切り換えのスイッチであり、タッチスイッチ２２ｅは温度調整のダウンスイッチであり、タッチスイッチ２２ｆは温度調整のアップスイッチである。また、タッチスイッチ２２ｇは内外気切り換えのスイッチであり、タッチスイッチ２２ｈはデフロスタースイッチであり、タッチスイッチ２２ｉはオートスイッチであり、タッチスイッチ２２ｊはリヤウィンドウデフォッガースイッチであり、タッチスイッチ２２ｋはオフスイッチである。タッチスイッチ２２ａ〜２２ｋには、各々のスイッチの機能を表す文字又は図形のアイコン（シンボル）が表示されている。
【００２４】
また、タッチスイッチ２２ａ、２２ｇ、２２ｈ、２２ｉ、２２ｊには、アイコンに隣接して、ＬＥＤ（Light Emitting Diode）ライトが設けられており、スイッチがオンのときに、ＬＥＤライトが点灯するようになっている。
【００２５】
そして、上方のタッチスイッチ２２ａ〜２２ｆの列の下側において、この列に沿って、タッチパネル２１上にバー２３ａが突設されており、また、下方のタッチスイッチ２２ｇ〜２２ｋの列の下側において、この列に沿って、タッチパネル２１上にバー２３ｂが突設されている。ここでは、バー２３ａ、２３ｂは、共に、タッチパネル２１上において、横方向（車幅方向）に延設されている。このバー２３ａ、２３ｂは、バー２３ａ、２３ｂに触れたときに、タッチスイッチ２２ａ〜２２ｋが反応しない材料、例えば、樹脂から形成されている。
【００２６】
例えば、タッチパネル２１が静電容量方式であれば、バー２３ａ、２３ｂに触れたときに、タッチスイッチ２２ａ〜２２ｋの静電容量に変化を与えない樹脂からバー２３ａ、２３ｂが形成されている。また、タッチパネル２１が抵抗膜方式であれば、バー２３ａ、２３ｂに触れたときに、タッチスイッチ２２ａ〜２２ｋの抵抗に変化を与えない樹脂からバー２３ａ、２３ｂが形成されている。なお、静電容量や抵抗などに変化を与えなければ、樹脂に限ることはなく、樹脂以外の材料も使用可能である。
【００２７】
また、ここでは、複数のバー２３ａ、２３ｂを有しているので、バー２３ａ、２３ｂを触覚で互いに識別可能とするため、バー２３ａの幅がバー２３ｂの幅とは異なっており、バー２３ａの幅を大きく、バー２３ｂの幅を小さくしている。例えば、タッチスイッチ２２ａ〜２２ｆの使用頻度が高い場合、これらの列の方のバー２３ａの幅を大きくすれば良い。また、バー２３ａ、２３ｂの幅に代えて、バー２３ａ、２３ｂの高さ（タッチパネル２１の表面からの高さ）が異なっても良いし、バー２３ａ、２３ｂの幅と共に高さが異なっても良い。
【００２８】
なお、バー２３ａ、２３ｂは、共に、各列の下側に設けられているが、共に、各列の上側に設けても良いし、一方を上側に設け、他方を下側に設けても良い。
【００２９】
加えて、各タッチスイッチ２２ａ〜２２ｋの位置に対応する各バー２３ａ、２３ｂ上の位置には、触覚で認識される触覚部２４ａ〜２４ｋが設けられている。ここでは、各タッチスイッチ２２ａ〜２２ｋのアイコンの中央位置の真下の位置に触覚部２４ａ〜２４ｋが配置されている。
【００３０】
触覚部２４ａ〜２４ｋは、触覚で認識できるように、各バー２３ａ、２３ｂの表面に凸形状又は凹形状で形成されている。更に、同系統の機能のタッチスイッチ２２ｂ及び２２ｃに対しては、互いの位置を識別できるように、触覚部２４ｂ及び２４ｃの大きさが異なっている。ここでは、触覚部２４ｂを小さくし、触覚部２４ｃを大きくして、風量小を示すタッチスイッチ２２ｂと風量大を示すタッチスイッチ２２ｃの位置を識別可能にしている。同様に、同系統の機能のタッチスイッチ２２ｅ及び２２ｆに対しても、互いの位置を識別できるように、触覚部２４ｅ及び２４ｆの大きさが異なっている。ここでは、触覚部２４ｅを小さくし、触覚部２４ｆを大きくして、温度調整ダウンを示すタッチスイッチ２２ｅと温度調整アップを示すタッチスイッチ２２ｆの位置を識別可能にしている。
【００３１】
なお、触覚部２４ａ〜２４ｋの大きさに代えて、触覚部２４ａ〜２４ｋの高さや深さが異なっても良い。つまり、触覚部２４ａ〜２４ｋが凸形状のときはバー２３ａ、２３ｂの表面からの高さを変え、凹形状のときはバー２３ａ、２３ｂの表面からの深さを変えれば良い。更には、凹凸と共に、大きさや高さや深さの違いを組み合わせて、触覚部２４ａ〜２４ｋを触覚で個別に識別できるようにしても良い。例えば、触覚部２４ａ〜２４ｋの大きさだけでなく、あるものは凸形状で高さを変えたり、あるものは凹形状で深さを変えたりすれば良い。
【００３２】
また、ここでは、触覚部２４ａ〜２４ｋの形状を単純な円形状としたが、更に触覚での認識性、識別性を向上させるため、触覚部２４ａ〜２４ｋの形状を、対応するタッチスイッチ２２ａ〜２２ｋの機能を表す形状、例えば、タッチスイッチ２２ａ〜２２ｋに表示した図形の外形形状としたり、文字の形状としたりしても良い。
【００３３】
一例として、触覚部２４ａは「Ａ／Ｃ」の文字の形状、触覚部２４ｂは小さい羽根の外形形状、触覚部２４ｃは大きい羽根の外形形状、触覚部２４ｄは「ＭＯＤＥ」の文字の形状、触覚部２４ｅは小さい下向き三角の外形形状、触覚部２４ｆは大きい上向き三角の外形形状とすれば良い。同様に、触覚部２４ｇは車両の外形形状、触覚部２４ｈは扇形の外形形状、触覚部２４ｉは「ＡＵＴＯ」の文字の形状、触覚部２４ｊは長方形の外形形状、触覚部２４ｅは「ＯＦＦ」の文字の形状とすれば良い。
【００３４】
以上説明したように、本実施例のタッチパネル式操作盤２０は、タッチスイッチ２２ａ〜２２ｋの列に沿って設けられたバー２３ａ、２３ｂと、バー２３ａ、２３ｂ上に設けられた触覚部２４ａ〜２４ｋとを有している。このような構成により、バー２３ａ、２３ｂをなぞりながら、操作対象のタッチスイッチ２２ａ〜２２ｋの位置に対応する触覚部２４ａ〜２４ｋの位置まで指先を移動し、その上側にあるタッチスイッチ２２ａ〜２２ｋに触れることで、ブラインドタッチで操作対象のタッチスイッチ２２ａ〜２２ｋの操作を正確に行うことができる。
【００３５】
［実施例２］
図３は、本実施例の縦型のタッチパネル式操作盤を示す図である。図３に示すタッチパネル式操作盤３０は、図１で説明したように、フロアコンソール１６に設けられている。
【００３６】
タッチパネル式操作盤３０は、タッチパネル３１を有し、その表面に縦１列となって配置された複数のタッチスイッチ３２ａ〜３２ｇを有している。ここでのタッチパネル３１（タッチスイッチ３２ａ〜３２ｇ）も、静電容量方式のものでも良いし、それ以外のもの、例えば、抵抗膜方式のものでも良い。また、ここでは、タッチスイッチ３２ａ〜３２ｇを１列にして配置しているが、スイッチの数や取り付け場所の広さなどに応じて、２列以上でも良い。なお、タッチスイッチ３２ａ〜３２ｇは、物理的構造ではなく、タッチパネル３１の表面の座標によって互いの範囲が区画されている。従って、タッチパネル３１に触れたときの座標が区画された範囲のどこにあるかによって、タッチスイッチ３２ａ〜３２ｇのいずれに触れたかを判定する。
【００３７】
ここで、タッチスイッチ３２ａは４ＷＤロックスイッチであり、タッチスイッチ３２ｂはエコモードスイッチであり、タッチスイッチ３２ｃはバッテリセーブスイッチであり、タッチスイッチ３２ｄはバッテリチャージスイッチであり、タッチスイッチ３２ｅはフロントシートヒータの急速暖房スイッチであり、タッチスイッチ３２ｆはフロントシートヒータの通常暖房スイッチであり、タッチスイッチ３２ｇはフロントシートヒータのオフスイッチである。タッチスイッチ３２ａ〜３２ｇにも、各々のスイッチの機能を表す文字又は図形のアイコン（シンボル）が表示されている。
【００３８】
そして、タッチスイッチ３２ａ〜３２ｇの列の右側において、この列に沿って、タッチパネル３１上にバー３３が突設されている。ここでは、バー３３は、タッチパネル３１上において、縦方向（車長方向）に延設されている。このバー３３は、バー３３に触れたときに、タッチスイッチ３２ａ〜３２ｇが反応しない材料、例えば、樹脂から形成されている。
【００３９】
例えば、タッチパネル３１が静電容量方式であれば、バー３３に触れたときに、タッチスイッチ３２ａ〜３２ｇの静電容量に変化を与えない樹脂からバー３３が形成されている。また、タッチパネル３１が抵抗膜方式であれば、バー３３に触れたときに、タッチスイッチ３２ａ〜３２ｇの抵抗に変化を与えない樹脂からバー３３が形成されている。なお、静電容量や抵抗などに変化を与えなければ、樹脂に限ることはなく、樹脂以外の材料も使用可能である。
【００４０】
なお、バー３３は、タッチスイッチ３２ａ〜３２ｇの列の右側に設けられているが、この列の左側に設けても良い。例えば、運転席の位置に応じて（運転席が車両１０の右側か左側かに応じて）、バー３３の位置を変更しても良い。
【００４１】
加えて、各タッチスイッチ３２ａ〜３２ｇの位置に対応するバー３３上の位置には、触覚で認識される触覚部３４ａ〜３４ｇが設けられている。ここでは、各タッチスイッチ３２ａ〜３２ｇのアイコンの中央位置の真横右側の位置に触覚部３４ａ〜３４ｇが配置されている。
【００４２】
触覚部３４ａ〜３４ｇは、触覚で認識できるように、バー３３の表面に凸形状又は凹形状で形成されている。更に、同系統の機能のタッチスイッチ３２ｃ及び３２ｄに対しては、互いの位置を識別できるように、触覚部３４ｃ及び３４ｄの大きさが異なっている。ここでは、触覚部３４ｃを大きくし、触覚部３４ｄを小さくして、バッテリセーブを示すタッチスイッチ３２ｃとバッテリチャージを示すタッチスイッチ３２ｄの位置を識別可能にしている。同様に、同系統の機能のタッチスイッチ３２ｅ及び３２ｆに対しても、互いの位置を識別できるように、触覚部３４ｅ及び３４ｆの大きさが異なっている。ここでは、触覚部３４ｅを大きくし、触覚部３４ｆを小さくして、急速暖房を示すタッチスイッチ３２ｅと通常暖房を示すタッチスイッチ３２ｆの位置を識別可能にしている。
【００４３】
なお、触覚部３４ａ〜３４ｇの大きさに代えて、触覚部３４ａ〜３４ｇの高さや深さが異なっても良い。つまり、触覚部３４ａ〜３４ｇが凸形状のときはバー３３の表面からの高さを変え、凹形状のときはバー３３の表面からの深さを変えれば良い。更には、凹凸と共に、大きさや高さや深さの違いを組み合わせて、触覚部３４ａ〜３４ｇを触覚で個別に識別できるようにしても良い。例えば、触覚部３４ａ〜３４ｇの大きさだけでなく、あるものは凸形状で高さを変えたり、あるものは凹形状で深さを変えたりすれば良い。
【００４４】
また、ここでは、触覚部３４ａ〜３４ｇの形状を単純な円形状としたが、更に触覚での認識性、識別性を向上させるため、触覚部３４ａ〜３４ｇの形状を、対応するタッチスイッチ３２ａ〜３２ｇの機能を表す形状、例えば、タッチスイッチ３２ａ〜３２ｇに表示した図形の外形形状としたり、文字の形状としたりしても良い。
【００４５】
一例として、触覚部３４ａは「４ＷＤ」の文字の形状、触覚部３４ｂは「ＥＣＯ」の文字の形状、触覚部３４ｃは大きい車両の外形形状、触覚部３４ｄは小さい車両の外形形状、触覚部３４ｅは大きいシートの外形形状、触覚部３４ｆは小さいシートの外形形状、触覚部３４ｇは「ＯＦＦ」の文字の形状とすれば良い。
【００４６】
以上説明したように、本実施例のタッチパネル式操作盤３０は、タッチスイッチ３２ａ〜３２ｇの列に沿って設けられたバー３３と、バー３３上に設けられた触覚部３４ａ〜３４ｇとを有している。このような構成により、バー３３をなぞりながら、操作対象のタッチスイッチ３２ａ〜３２ｇの位置に対応する触覚部３４ａ〜３４ｇの位置まで指先を移動し、その左側にあるタッチスイッチ３２ａ〜３２ｇに触れることで、ブラインドタッチで操作対象のタッチスイッチ３２ａ〜３２ｇの操作を正確に行うことができる。
【００４７】
上述した実施例１及び実施例２において、タッチスイッチ２２ａ〜２２ｋやタッチスイッチ３２ａ〜３２ｇは、直線状の列になって配置されているが、これに限らず、曲線状の列になって配置されても良い。その場合には、曲線状の列に沿ってバー２３ａ、２３ｂやバー３３を設け、バー２３ａ、２３ｂやバー３３上において、タッチスイッチ２２ａ〜２２ｋやタッチスイッチ３２ａ〜３２ｇの各々の位置に対応する位置に触覚部２４ａ〜２４ｋや触覚部３４ａ〜３４ｇを設ければ良い。
【００４８】
また、タッチパネル２１やタッチパネル３１は平面に限らず、曲面であっても良い。その場合でも、タッチスイッチ２２ａ〜２２ｋやタッチスイッチ３２ａ〜３２ｇの列に沿ってバー２３ａ、２３ｂやバー３３を設け、バー２３ａ、２３ｂやバー３３上において、タッチスイッチ２２ａ〜２２ｋやタッチスイッチ３２ａ〜３２ｇの各々の位置に対応する位置に触覚部２４ａ〜２４ｋや触覚部３４ａ〜３４ｇを設ければ良い。
【産業上の利用可能性】
【００４９】
本発明は、ブラインドタッチ操作を必要とする装置に好適なものであり、例えば、車両のタッチパネルヒーコンとして適用可能である。
【符号の説明】
【００５０】
２０、３０  タッチパネル式操作盤
２１、３１  タッチパネル
２２ａ〜２２ｋ、３２ａ〜３２ｇ  タッチスイッチ
２３ａ、２３ｂ、３３  バー
２４ａ〜２４ｋ、３４ａ〜３４ｇ  触覚部
【図１】
2018092496.tif 000003
【図２】
2018092496.tif 000004
【図３】
2018092496.tif 000005